(57)【要約】【課題】  一つの表示面の画像が他の表示面に映り込むことを抑制した画像表示装置を提供する。【解決手段】  ２以上の画像表示素子の表示面を組み合わせた画面に画像を表示する画像表示装置であって、前記画像表示素子の表示面同士で消光する条件で偏光板を前記表示面に配置する。前記消光条件は、前記偏光板の偏光方向を直交させて、偏光板の取り付けられた表示面から入射する光を透過させ、かつ前記表示面以外から入射する光を吸収する条件に設定する。【選択図】  図１
2008108389.tif 000002
【特許請求の範囲】
【請求項１】
２以上の画像表示素子の表示面を組み合わせた画面に画像を表示する画像表示装置であって、
前記画像表示素子の表示面同士で消光する条件で偏光板を前記表示面に配置したことを特徴とする画像表示装置。
【請求項２】
前記消光条件は、前記偏光板の偏光方向を直交させて、偏光板の取り付けられた表示面から入射する光を透過させ、かつ前記表示面以外から入射する光を吸収する条件に設定した請求項１に記載の画像表示装置。
【請求項３】
前記表示面のそれぞれに配置した前記偏光板上に、第１の１／４波長板と、空洞層と、第２の１／４波長板と、偏光板とを配置した請求項１に記載の画像表示装置。
【請求項４】
前記第の１／４波長板は、直線偏光を円偏光に変え、前記第２の１／４波長板は、円偏光を直線偏光に変えるものである請求項３に記載の画像表示装置。
【請求項５】
前記空洞層は、前記第１の１／４波長板と前記第２の１／４波長板との間を円偏光の向きを反転させる距離に保持するものである請求項３に記載の画像表示装置。
【請求項６】
前記表示面のそれぞれに前記第２の１／４波長板と組み合わせて配置した前記偏光板の偏光方向が直交する請求項３に記載の画像表示装置。
【請求項７】
前記２以上の画像表示素子は、視点に対する視差画像を空間的に分離してそれぞれの表示面に立体的な画像を表示する処理手段を有する請求項１に記載の画像表示装置。
【請求項８】
前記処理手段は、少なくとも２つの視点に対応する視差方向の映像を各画像表示素子の位置関係に応じた画像に変換して投射する請求項７に記載の画像表示装置。
【請求項９】
前記２以上の画像表示素子は、それぞれの表示面に２次元の画像を表示する処理手段を有する請求項１に記載の画像表示装置。
【請求項１０】
前記組み合わされる画像表示素子として同一偏光方式のものを用い、その一方の画像表示素子の前面に１／２波長板を配置した請求項１に記載の画像表示装置。
【請求項１１】
前記２以上の画像表示素子は、前記表示面を俯仰方向に配置して組み合わされている請求項１に記載の画像表示装置。
【発明の詳細な説明】
【技術分野】
【０００１】
本発明は、複数の画像表示素子を有するとともに、これらの画像表示素子の各表示面を観察者側に向けて当該各表示面に画像を表示する、画像表示装置に関する。
【背景技術】
【０００２】
近年、液晶パネルなどのフラットパネル型ディスプレィを用いた立体表示装置として、レンチキュラレンズ、パララックスバリア等により、両眼視差を有する複数の画像をそれぞれ左右の目に空間的に分離して呈示することで立体視を実現する立体表示装置が注目されている。この種の立体表示装置は、特別なメガネ等を装着する必要がない、という利点を有している（例えば非特許文献１）。【０００３】
立体視の効果を高める立体画像を生成する方法としては、視軸に対して斜め方向に透視投影変換して表示する方法がある（特許文献１）。図７は、立体画像を生成する方法について説明するための図である。図７に示す立体画像を生成する方法では、右眼視点１２１及び左眼視点１２２それぞれの視点に対応する画像を、右眼透視投影変換画像１２３及び左眼透視投影変換画像１２４として透視投影変換して、画像表示面１２５に投影する。このとき、画像表示面１２５に投影された右眼透視投影変換画像１２３及び左眼透視投影変換画像１２４は、視軸に対して斜め方向とする。この方法を用いて立体表示を行うと、観察者には立体像１２６が知覚される。このとき、観察者の観察位置と立体像１２６の投影像の各部分との距離が画像表示面１２５内で異なるため、観察者が画像表示面を意識しなくなることにより、両眼立体視における疲労感を低減できるという効果がある。また、この方法を用いると、画角が広く取れることにより、更に立体視の効果を高めることができるので、より臨場感のある立体映像を提供できる。【０００４】
図８は、二つ以上の画像表示素子同士をつなぎ合わせた立体表示装置を説明する図である。立体画像表示素子１３０，１３１を用いて更に画角が広い立体表示装置を提供するには、二つ以上の立体画像表示素子１３０，１３１同士を、互いのなす角θが９０度以上かつ１８０度以下になるようにつなぎ合わせることで実現できる。二つの立体画像表示素子１３０，１３１に、観察者の右眼１３４及び左眼１３５それぞれの視点位置から観察した右眼用透視投影変換画像１３２及び左眼用透視投影変換画像１３３を表示する。これにより、観察者は、立体像１３９を広い画角で観察できるので、臨場感のある立体映像を観察できることになる。【０００５】
【非特許文献１】大越孝敬著「三次元画像工学」朝倉書店  P11-P21
【特許文献１】米国特許６３８９２３６号明細書
【発明の開示】
【発明が解決しようとする課題】
【０００６】
しかしながら、二つ以上の画像表示素子同士をつなぎ合わせた画像表示装置においては、一方の画像表示素子の表示面から発する光線が、他方の画像表示素子の表示面で反射することで映り込む、という問題が発生する。このとき他方の表示面に映り込む一方の表示面の画像を、以下「映り込み像」という。【０００７】
図９は表示面における光の反射を説明するための図である。図９［１］において、立体画像素子１３０上の画素Ａから発した光が観察方向１４１へ進行する光線には、画素Ａから直接進む光線以外に、立体画像素子１３１の表面で反射する光線が存在する。この光線により、画素Ａの映り込み像１４３が観察者１４０に観察される。同様に図９［２］において、立体画像素子１３１上の画素Ｂから発した光が観察方向１４１へ進行する光線には、立体画像素子１３０の表面で反射する光線が存在する。この光線により、画素Ｂの映り込み像１４５が観察者１４０に観察される。【０００８】
このように、一方の表示面から発する光線が他方の表示面で反射することによる映り込み像が存在すると、視認性が低下する問題だけではなく、次のような問題も生ずる。観察者が立体像を認識する際に、双方の表示面の映り込み像によって生じる偽の立体像が同時に観察されるので、観察者に非常に大きな違和感を与える。また、表示面に単純にアンチグレア処理を施して反射防止を行った場合にも、アンチグレア処理による散乱光同士が双方表示面で拡散反射し合うため、表示画像の視認性を低下させるという問題もあった。【０００９】
そこで、本発明の目的は、一つの表示面の画像が他の表示面に映り込むことを抑制した画像表示装置を提供することにある。
【課題を解決するための手段】
【００１０】
前記目的を達成するため、本発明に係る画像表示装置は、２以上の画像表示素子の表示面を組み合わせた画面に画像を表示する画像表示装置であって、
前記画像表示素子の表示面同士で消光する条件で偏光板を前記表示面に配置したことを特徴とするものである。【００１１】
前記消光条件は、前記偏光板の偏光方向を直交させて、偏光板の取り付けられた表示面から入射する光を透過させ、かつ前記表示面以外から入射する光を吸収する条件に設定する。
【発明の効果】
【００１２】
本発明によれば、画像表示素子の表示面に配置した偏光板により、表示面同士での画像の映り込みを抑制でき、特に立体画像を表示する際に違和感のない臨場感に優れた立体画像を観察者に提供できる。
【発明を実施するための最良の形態】
【００１３】
以下、本発明の実施形態について図面を参照して説明する。【００１４】
本発明の実施形態は、２以上の画像表示素子（１，２）を組み合わせて画像を表示する画像表示装置を対象とするものである。２つの画像表示素子１，２を組み合わせた場合を例にとって具体的に説明する。図１に示す２つの画像表示素子１，２は、視点１３に対する画像を表示面１ａ，２ａに表示する。以下の説明では、視点１３に対する視差画像を空間的に分離して表示面１ａ，２ａに表示する場合を例にとって説明する。ここで、視点１３に対する視差画像を空間的に分離して表示するとは、図１に示す点１３が観察者による視点であるとすると、観察者の右目用と左目用との画像に分離し、その分離した右目用画像と左目用画像とを２つの画像表示素子１，２の表示面１ａ，２ａにそれぞれ表示することを意味する。具体的には、図１における水平方向の画像表示素子１の表示面をＸ軸表示面１ａ、垂直方向の画像表示素子２の表示面をＹ軸表示面２ａとすると、視点１３に対する視差画像は空間的に分離される、すなわち右目用画像と左目用画像とに分離してＸ軸表示面１ａとＹ軸表示面２ａとに渡って表示される。【００１５】
観察者は、両目を視点１３に据えてＸ軸表示面１ａとＹ軸表示面２ａとに映し出された画像を観察すると、その右目でＸ・Ｙ軸表示面１ａ，２ａに表示されている右目用画像を観察し、その左目でＸ・Ｙ軸表示面１ａ，２ａに表示されている左目用画像を観察する。したがって、観察者にとっては、Ｘ・Ｙ軸表示面１ａ，２ａに表示された右目用画像と左目用画像とが合成されて１つの画像として観察することとなる。この場合、Ｘ・Ｙ軸表示面１ａ，２ａに、レンチキュラレンズ，パララックスバリア，インテクグラルフォトグラフィ用レンズアレイ或いはピンホールアレイなどの立体表示を行う光学系を備えることにより、立体的に画像を表示することができる。また、前記立体的表示を行う光学系を用いない場合には、２次元画像として表示することができる。【００１６】
本発明の実施形態に係る画像表示装置は図１に示すように、基本的な構成として、前記画像表示素子（１，２）の表示面（１ａ，２ａ）同士で消光する条件で偏光板３０，３１を前記表示面（１ａ，２ａ）に配置したことを特徴とするものである。ここで、一の画像表示素子１或いは２が、直線偏光の水平成分である水平偏光を出力し、他の画像表示素子２或いは１が、直線偏光の垂直成分である垂直偏光を出力するものとする。【００１７】
前記消光条件は、前記偏光板３０，３１の偏光方向を直交させて、偏光板３０（或いは３１）の取り付けられた表示面１ａ（或いは２ａ）から入射する光を透過させ、かつ前記表示面１ａ（或いは２ａ）以外から入射する光を吸収する条件に設定する。【００１８】
本発明の実施形態によれば、画像表示素子１，２の表示面１ａ，２ａに偏光板３０，３１が配置され、その偏光板３０，３１の偏光方向が直交する関係にあるため、一の表示面１ａ（或いは２ａ）から他の表示面２ａ（或いは１ａ）に向かう光線が偏光板３１（或いは３０）により遮光される。【００１９】
したがって本発明の実施形態によれば、画像表示素子の表示面に配置した偏光板により、表示面同士での画像の映り込みを抑制でき、特に立体画像を表示する際に違和感のない臨場感に優れた立体画像を観察者に提供できる。【００２０】
以上説明した本発明の実施形態では基本的に画像表示素子の表示面に偏光板を配置することにより、表示面同士での画像の映り込みを防止することができるものであるが、さらに、表示面以外から入射する光線に対する映り込みをも対策した例を実施形態１として図２に基づいて説明する。【００２１】
本発明の実施形態１は図２に示すように、２つの画像表示素子１，２の表示面１ａ，２ａに偏光板３，４を配置し、さらに、偏光板３，４上に、第１の１／４波長板５，６と、空洞層７，８と、第２の１／４波長板９，１０と、偏光板１１，１２とを配置している。ここに、図２における第１の１／４波長板５と、空洞層７と、第２の１／４波長板９と、偏光板１１とが図１における偏光板３０に相当し、図２における第１の１／４波長板６と、空洞層８と、第２の１／４波長板１０と、偏光板１２とが図１における偏光板３１に相当する。【００２２】
前記第１の１／４波長板５，６は、直線偏光を円偏光に変え、前記第２の１／４波長板９，１０は、円偏光を直線偏光に変えるものである。前記空洞層７，８は、１／４波長板５，６と９，１０との間に例えば突起などのスペーサ（図示せず）を設けることによって形成される。前記空洞層７，８は、前記第１の１／４波長板５，６と前記第２の１／４波長板９，１０との間を円偏光の向きを反転させる距離に保持するものである。前記第２の１／４波長板９，１０と組み合わせて配置した前記偏光板１１，１２は、その偏光方向が直交する状態で配置している。なお、偏光板１１，１２にはアンチグレア処理を施してある。【００２３】
表示面１１ａ，１２ａは、ともに矩形状であり、一辺で互いに接しており、俯仰方向、すなわち上下方向に配置されている。２つの画像表示素子１，２の表示面１ａ，２ａがそれらの一辺で互いに接して、２つの表示面１ａ，２ａの組合せにより画面を形成し、前記画面に画像を表示する。また、表示面１ａ，２ａがそれらの一辺で互いに接するということは、表示面１ａ，２ａ同士が最も接近することを意味する。表示面１ａ，２ａ同士が近ければ近いほど、一方から他方を見た立体角が大きくなることにより、一方から他方への画像の映り込みも顕著になるので、本発明の効果も顕著になる。表示面１ａ，２ａ同士のなす角θは９０°としているが、これに限られるものではない。【００２４】
図３は、図２に示す画像表示装置の動作を示す構成図である。図３では、原理を分かりやすく説明するため、空洞層７，８を通常の寸法より拡大して表してある。【００２５】
画像表示素子１，２の表示面１ａ，２ａにはそれぞれ偏光板３，４が配置してあり、それらの偏光板３，４の偏光方向が直交する関係に設定されている。図３の例では、画像表示素子１の表示面１ａからは、偏光板３の存在により、直線偏光の水平成分である水平偏光が出力され、画像表示素子２の表示面２ａからは、偏光板４の存在により、直線偏光の垂直成分である垂直偏光が出力される。【００２６】
図２では、画像表示素子１，２として、例えばＴＮ型、ＳＴＮ型などの一般的なＬＣＤを用いているため、原理的に偏光板３，４を用いて画像を表示する際に水平偏光又は垂直偏光を出射させている。【００２７】
表示面１ａの画素Ａから表示面２ａに向かう方向に進む光線（水平偏光）は、１／４波長板５によって右円偏光１５に変換され、その後１／４波長板９によって、偏光板１１を透過できる垂直偏光１６に変換される。偏光板１１を透過した垂直偏光１６は、表示面２ａ上面に配置された偏光板１２まで到達する。ここで、偏光板１２は、透過する偏光方向が偏光板１１と直交して配置してあり、垂直偏光１６を吸収することが可能である。したがって、表示面１ａから発した光を表示面２ａ上面の偏光板１２で減衰させることにより、表示面２ａで映りこむ光を低減させることができる。【００２８】
また、この構成において、外光１７（偏光板１１，１２のアンチグレア処理による散乱光を含む。）は、偏光板１１及び１／４波長板９を透過すると、右円偏光１８となる。この右円偏光１８は、１／４波長板５の表面で反射して左円偏光１９となり、更に１／４波長板９を透過すると、水平偏光に変換されて偏光板１１で吸収される。【００２９】
また、表示面２ａの画素Ｂから表示面１ａに向けた方向に進む光線（垂直偏光）は、１／４波長板６によって左円偏光２０に変換され、その後１／４波長板１０によって、偏光板１２を透過できる水平偏光２１に変換される。偏光板１２を透過した水平偏光２１は、表示面１ａ上面に配置された偏光板１１まで到達する。ここで、偏光板１１は、透過する偏光方向が偏光板１２と直交して配置してあり、水平偏光２１を吸収することが可能である。したがって、表示面２ａから発した光を表示面１ａ上面の偏光板１１で減衰させることにより、表示面１ａで映りこむ光を低減させることができる。【００３０】
また、この構成において、外光２２（偏光板１１，１２のアンチグレア処理による散乱光を含む。）は、偏光板１２及び１／４波長板１０を透過すると、左円偏光２３となる。この左円偏光２３は、１／４波長板６の表面で反射して右円偏光２４となり、更に１／４波長板１０を透過すると垂直偏光に変換されて偏光板１２で吸収される。【００３１】
以上の原理により、表示面１ａ，２ａでは、相互の映り込み像や、外光１７，２２の映りこみを防止することができる。【００３２】
次に、本発明の実施形態１に係る画像表示装置を用いて立体画像を表示する例を図５に基づいて実施形態２として説明する。【００３３】
本発明の実施形態２に係る画像表示素子１，２は図４に示すように、視点１３に対する視差画像を空間的に分離してそれぞれの表示面１ａ，２ａに立体的な画像を表示する画像処理回路６７を有している。画像処理回路６７は、右眼視点画像信号６５Ｒ及び左眼視点画像信号６５Ｌを、右眼用透視投影画像に変換した画像６６Ｒ及び左眼用透視投影画像に変換した画像６６Ｌを生成し、これらの画像６６Ｒ，６６Ｌのデータを画像表示素子１，２にそれぞれ出力する。画像処理回路６７の動作によって、幾何学的に正しい立体像６４を視点１３で観察者に実時間で動画表示できる。なお、画像処理回路６７、近い距離のものほど両眼の視差が大きくなるように表示する。画像処理回路６７は、当業者にとって周知の一般的な立体画像表示用の回路であるので、説明を省略する、また、図３では、表示面１ａ，２ａに配置されている、偏光板３，４、第１の偏光板５，６、空洞層７，８、第２の偏光板９，１０、偏光板１１，１２をそれぞれ省略している。【００３４】
画像表示素子１，２の表示面１ａ，２ａの両端を、一例として９０度の角度θでつなぎ合わせた構成である。画像表示素子１，２は液晶パネルであり、その表示面１ａ，２ａに、立体的な画像表示を可能とする光学系としてレンチキュラレンズ（図示せず）が貼り合わせてある。また、偏光板３，４が前記レンチキュラレンズ上に配置されている。そして、偏光板３，４を配置することにより、画像表示素子１は水平偏光を、画像表示素子２は垂直偏光をそれぞれ出射するように設計した。【００３５】
本発明の実施形態２における画像表示素子１，２には、水平６４０画素×垂直４８０画素、画面サイズ水平３２ｍｍ×垂直５０ｍｍのカラー液晶パネルを用いた。画像表示素子１，２の表示面１ａ，２ａに設けるレンチキュラレンズのレンズピッチは１００μｍ、そのレンズ数は３２０個とした。視点１３と立体画像表示素子１，２との間の観察距離は４００ｍｍとし、画角（図２参照；１４）は１０度として設定した。空洞層７，８（図２及び図３）は、厚さ１００μｍの空気層とした。この条件で４５度の観察角度で視点１３の右眼１３Ｒ及び左眼１３Ｌそれぞれの視点に対応した画像を、表示面１ａ，２ａに光学的に独立に提示すると、特殊なメガネ等を装着せずに裸眼立体視ができた。【００３６】
また、画像表示素子１，２に配置した、偏光板３，４、１／４波長板５，６，９，１０（図２及び図３）、偏光板１１，１２の作用により、二つの表示面１ａ，２ａ同士での映り込みによる偽の立体像を、観察者が知覚することなく立体視することができた。また、外光や、偏光板１１，１２（図２及び図３）の表面に施したアンチグレア処理による散乱光による、反射光も低減させることができた。【００３７】
以上の画像表示装置によって表示面１ａ，２ａに画像を表示したところ、映り込み像による偽の立体像が観察されない立体映像を観察者に提示することができ、視認性が高く臨場感のある立体表示装置を提供することができた。【００３８】
立体画像は当然のことながら虚像である。一方、映り込み像も虚像である。そのため、映り込み像は立体画像として誤認されやすい。つまり、立体画像を表示する場合は、平面画像を表示する場合に比べて映り込み像による悪影響が大きいので、本発明の効果が最も顕著になる。【００３９】
次に、少なくとも２つの視点に対応する視差方向の画像を各画像表示素子の位置関係に応じた画像に変換して投射した例を図５に基づいて実施形態３として説明する。【００４０】
本実施形態３の画像表示装置は、第一実施形態の画像表示装置（図２及び図３）を多視点画像表示に対応させ、ｎ視点の立体画像表示をできるようにしたものである。画像表示装置１，２は、第一実施形態と同じカラー液晶パネルを用いた。レンチキュラレンズ（図示せず）のレンズピッチは５０×ｎμｍ、レンズ数は６４０／ｎ個とした。例えば視点数ｎ＝４の場合は、レンズピッチ２００μｍ、レンズ数１６０個とした。観察距離は４００ｍｍとして、画角は１０度と設定した。空洞層７，８（図２及び図３）は、厚さ１００μｍの空気層とした。この条件で４５度の観察角度で視点位置１から視点位置ｎまでの各視点に対応した画像を、表示面１ａ，２ａに光学的に独立に提示すると、特殊なメガネ等を装着せずに裸眼立体視が可能となる。また、画像表示素子１，２に配置した、偏光板３，４、１１，１２（図２及び図３）及び１／４波長板５，６、９，１０（図２及び図３）の作用により、二つの表示面１ａ，２ａ間相互の映り込みによる偽の立体像を、観察者が知覚することなく立体視することができた。また、外光や、偏光板１１，１２（図２及び図３）の表面に施したアンチグレア処理による散乱光による、反射光も低減させることができた。【００４１】
更に、実施形態３では、画像表示素子１，２が画像処理回路７７を有している。画像処理回路７７は、視点位置１から視点位置ｎまでの多視点画像信号７５を、画像表示素子１，２それぞれに対応した視点位置１の透視投影変換画像７６１から視点位置ｎの透視投影変換画像７６ｎまでのｎ視点の画像を生成し、観察者に幾何学的に正しい立体像７４を実時間で動画表示できる。【００４２】
以上の画像表示装置によって表示面１ａ，２ａに画像を表示したところ、映り込み像による偽の立体像が観察されない立体映像を観察者に提示することができ、視認性が高く臨場感のある立体表示装置を提供することができた。【００４３】
以上の説明では、画像表示素子１からの光線を水平偏光させ、画像表示素子２からの光線を垂直偏光させる構成としたが、２以上の画像表示素子に同一偏光方式のものを用いても、水平偏向と垂直偏光との光線を出力する例を実施形態４として図６に基づいて説明する。【００４４】
図６において、画像表示素子１と４０とは、例えば液晶ディスプレィのように同一偏光方式のものを採用している。具体的には、画像表示素子１，４０の表面には、レンチキュラレンズが設けられており、偏光方向が同一の偏光板３が貼り付けられている。したがって、２つの画像表示素子１，４０は、水平偏向の光線をそれぞれ出力することとなり、本実施形態４では、２つの画像表示素子１，４０を開き角度９０で組み合わせている。【００４５】
本実施形態４では図６に示すように、一方の画像表示素子４０の前面に１／２波長板４１を貼り付け、１／２波長板４１を通して画像表示素子４０から垂直偏光の光線を出力させている。【００４６】
図６は、実施形態４の画像表示装置の動作を示す構成図である。図６では、原理を分かりやすく説明するため、空洞層７，８を通常の寸法より拡大して表してある。【００４７】
図６の例では、画像表示素子１の表示面１ａからは、直線偏光の水平成分である水平偏光が出力され、画像表示素子２の表示面２ａからは、１／２波長板４１の存在により、直線偏光の垂直成分である垂直偏光が出力される。【００４８】
表示面１ａの画素から表示面４０ａに向かう方向に進む光線（水平偏光）は、１／４波長板５によって右円偏光１５に変換され、その後１／４波長板９によって、偏光板１１を透過できる垂直偏光１６に変換される。偏光板１１を透過した垂直偏光１６は、表示面４０ａ上面に配置された偏光板１２まで到達する。ここで、偏光板１２は、透過する偏光方向が偏光板１１と直交して配置してあり、垂直偏光１６を吸収することが可能である。したがって、表示面１ａから発した光を表示面４０ａ上面の偏光板１２で減衰させることにより、表示面２ａで映りこむ光を低減させることができる。【００４９】
また、この構成において、外光１７（偏光板１１，１２のアンチグレア処理による散乱光を含む。）は、偏光板１１及び１／４波長板９を透過すると、右円偏光１８となる。この右円偏光１８は、１／４波長板５の表面で反射して左円偏光１９となり、更に１／４波長板９を透過すると、水平偏光に変換されて偏光板１１で吸収される。【００５０】
また、表示面４０ａの画素から表示面１ａに向けた方向に進む光線（垂直偏光）は、１／４波長板６によって左円偏光２０に変換され、その後１／４波長板１０によって、偏光板１２を透過できる水平偏光２１に変換される。偏光板１２を透過した水平偏光２１は、表示面１ａ上面に配置された偏光板１１まで到達する。ここで、偏光板１１は、透過する偏光方向が偏光板１２と直交して配置してあり、水平偏光２１を吸収することが可能である。したがって、表示面４０ａから発した光を表示面１ａ上面の偏光板１１で減衰させることにより、表示面１ａで映りこむ光を低減させることができる。【００５１】
また、この構成において、外光２２（偏光板１１，１２のアンチグレア処理による散乱光を含む。）は、偏光板１２及び１／４波長板１０を透過すると、左円偏光２３となる。この左円偏光２３は、１／４波長板６の表面で反射して右円偏光２４となり、更に１／４波長板１０を透過すると垂直偏光に変換されて偏光板１２で吸収される。【００５２】
以上の原理により、表示面１ａ，４０ａでは、相互の映り込み像や、外光１７，２２の映りこみを防止することができる。【００５３】
なお、上記第一乃至第４実施形態では、画像表示素子として、始点に対する視差画像を空間的に分離して表示面に表示する方式のものを用いたが、これに限られるものではない。組み合わせた画像表示素子の表示面に２次元の画像を表示するようにしてもよいものである。【００５４】
画像表示素子は、液晶パネル、有機ＥＬパネル、プラズマディスプレイパネル、表面電界ディスプレイパネル、又はその他の各種フラットディスプレイパネルを用いることができるが、パネル以外のＣＲＴなどでもよく、また画素数及び画面サイズの大きなパネルを用いてもよい。画像表示素子には、必要に応じて偏光フィルムを取り付ける。【００５５】
また、隣接する二つの画像表示素子のなす角度は９０°以上の角度でもよく、三つ以上の画像表示素子をつなぎ合わせてもよい。画像表示手段の一部としての光学系は、レンチキュラレンズ以外にも、パララックスバリア、インテグラルフォトグラフィ用レンズアレイ、又はピンホールアレイなどを用いてもよい。空洞層は、表示面側の１／４波長板の表面で外光を反射できれば、必ずしも必要ではなく、また、他の厚さに設定してもよく、空気層ではなく例えば樹脂等を充填してもよい。【００５６】
以上、実施形態（及び実施例）を参照して本願発明を説明したが、本願発明は上記実施形態（及び実施例）に限定されるものではない。本願発明の構成や詳細には、本願発明のスコープ内で当業者が理解し得る様々な変更をすることができる。【００５７】
この出願は２００７年３月７日に出願された日本出願特願２００７−５７８９８を基礎とする優先権を主張し、その開示の全てをここに取り込む。
【図面の簡単な説明】
【００５８】
【図１】本発明の基本的な実施形態を示す構成図である。
【図２】本発明の実施形態１に係る画像表示装置を示す構成図である。
【図３】図２に示す画像表示装置の動作を説明するための構成図である。
【図４】本発明の実施形態２に係る画像表示装置を示す構成図である。
【図５】本発明の実施形態３に係る画像表示装置を示す構成図である。
【図６】本発明の実施形態４に係る画像表示装置を示す構成図である。
【図７】関連する技術に係る立体画像を生成する方法について説明するための図である。
【図８】二つ以上の画像表示素子同士をつなぎ合わせた立体表示装置を説明する図である。
【図９】表示面における光の反射を説明するための図である。
【符号の説明】
【００５９】
１，２，４０  画像表示素子
１ａ，２ａ，４０ａ  表示面
３，４  １１，１２，３０，３１  偏光板
５，６  ９，１０  １／４波長板
７，８  空洞層
６７，７７  画像処理回路
【図１】
2008108389.tif 000003
【図２】
2008108389.tif 000004
【図３】
2008108389.tif 000005
【図４】
2008108389.tif 000006
【図５】
2008108389.tif 000007
【図６】
2008108389.tif 000008
【図７】
2008108389.tif 000009
【図８】
2008108389.tif 000010
【図９】
2008108389.tif 000011
【国際調査報告】
2008108389.tif 000012
2008108389.tif 000013